(57)【特許請求の範囲】
【請求項１】
下片部と脚片部と上片部とからなる略Ｚ字形の板状部材であって、該部材の上片部を、幅方向に対して直角に複数片に分割し、その少なくとも一片を他の分割片より該部材の略厚み分上方に位置させた突片としたバスダクトの支持金具。
【請求項２】
前記他の分割片を略Ｌ字形に下方に折り曲げて上片部及び係止片とすることを特徴とする請求項１記載のバスダクトの支持金具。
【請求項３】
請求項１又は２記載のバスダクトの支持金具の前記下片部を支持架台に固定し、前記他の分割片をバスダクト本体部のバスダクト端部折り曲げ部上面に当接することを特徴とするバスダクトの支持装置。
【請求項４】
請求項２記載のバスダクトの支持金具の前記下片部を支持架台に固定し、前記脚片部と係止片との間にバスダクト本体部のバスダクト端部折り曲げ部を位置させることを特徴とするバスダクトの支持装置。
【請求項５】
請求項１又は２記載のバスダクトの支持金具の前記下片部を支持架台に固定し、前記突片をバスダクト接続部のハウジングに当接又は係合当接することを特徴とするバスダクトの支持装置。
【請求項６】
請求項２記載のバスダクト支持金具の前記下片部を支持架台に固定し、前記係止片の外側面が接続部カバーの端部折り曲げ部の外側面に当接することを特徴とするバスダクトの支持装置。
【請求項７】
請求項１又は２記載のバスダクトの支持金具の前記下片部を支持架台に固定し、前記突片がバスダクト接続部の接続カバー板の端部折り曲げ部の端縁に係合することを特徴とするバスダクトの支持装置。
【発明の詳細な説明】
【０００１】
【産業上の利用分野】
本発明は、支持架台上に載置した電気幹線用絶縁密着形バスダクトの支持装置に係り、本体部および接続部を兼用の金具で支持して、地震などの衝撃にも安全に対処できるバスダクトの支持金具及びバスダクトの支持装置に関する。
【０００２】
【従来の技術】
架台上に載置した絶縁密着形バスダクトの支持・固定などは、従来からバスダクトの本体部のみで行われている（例えば、実公昭５８−３８７４３号公報、実開昭５１−１２９９９号公報など）。
【０００３】
図７は従来の支持装置の典型例で、（イ）は図８示の支持金具２を使用して絶縁密着形バスダクトの本体部を支持した正面図、（ロ）は前記（イ）の支持金具２部分のａ−ａ’矢視側面図である。バスダクトＢＤをチャンネル１上に載置し、かつバスダクトＢＤ本体部ハウジングＣの両側折り曲げ部Ｈ・Ｈの左右に、チャンネル１に係合して突出する蝶ボルトＢ・Ｂに対の支持金具２・２の下片部３を貫通してナットＮを螺合し、そして支持金具２・２の脚片部４の内側面を、バスダクト本体部ハウジングＣの両側折り曲げ部Ｅ・Ｅの外側面にそれぞれ当接して、下片部３をナットＮで締め付けてバスダクトＢＤを支持するようにしている。Ｔは建物から吊下されたボルト、５は上片部、６は垂下部を示す。
【０００４】
【発明が解決しようとする課題】
一般に絶縁密着形バスダクトにおける接続部は、バスダクト導体端部相互の重ね合わせ接続方式、あるいは導電性当て板を介する突き合わせ接続方式を問わず、ハウジング上下板幅の内寸いっぱいに膨出する。また、バスダクト接続部の上下開口部には、カバー板が取りつけられるため、その板厚分、ハウジング下部の端部折り曲げ高さが増大する。そのため、前記従来例のように、本体部ハウジングＣの側板外側面とハウジング下板端部の両側折り曲げ部Ｅ・Ｅとの間のスペースを利用して取りつける支持金具２・２は、接続部に使用することができず、従って何等の支持もしていないのが実情である。
【０００５】
大容量幹線で重量のあるバスダクトにおいては、地震時、その自重によりバスダクト電路中、最も重い接続部分が撓み、地震時の揺れを助長して、バスダクト本体部における支持装置を破損し、バスダクトが転倒して、停電につながる虞がある。
【０００６】
本発明は、絶縁密着形バスダクトにおける従来の支持装置の作業性および構造上の面から敬遠されてきた上記の問題点に鑑み、ハウジングの本体部および接続部における、取り付け容易でかつ効率的な支持装置を提供し、上記従来の欠点を解消するすることを目的とする。
【０００７】
【課題を解決するための手段】
本発明は上記の目的を達成するために、下片部と脚片部と上片部とからなる略Ｚ字形の板状部材であって、該部材の上片部を、幅方向に対して直角に複数片に分割し、その少なくとも一片を他の分割片より該部材の略厚み分上方に位置させた突片としたバスダクトの支持金具とし、更に前記他の分割片を略Ｌ字形に下方に折り曲げて上片部及び係止片とするものである。また、前記バスダクトの支持金具を使用したバスダクトの支持装置で、前記下片部を支持架台に固定し、前記他の分割片をバスダクト本体部のバスダクト端部折り曲げ部上面に当接する、前記脚片部と係止片との間にバスダクト本体部のバスダクト端部折り曲げ部を位置させる、前記突片をバスダクト接続部のハウジングに当接又は係合当接する、前記係止片の外側面が接続部カバーの端部折り曲げ部の外側面に当接する、或いは前記突片がバスダクト接続部の接続カバー板の端部折り曲げ部の端縁に係合する構成としたものである。
【０００８】
【作用】
請求項１においては、バスダクト本体部においては、支持金具の脚片部と係止片の間にハウジング端部折り曲げ部を位置させて、下片部を支持架台に固定することにより、本体部の横移動は支持金具の脚片部と係止片の両内側面間における微細移動に抑制される。また本体部の縦移動は支持金具の上片部または係止片の下端部と支持架台とで抑制される。バスダクト接続部においては、支持金具の上片部よりも肉厚分上方に位置する突片が、ハウジング接続側板の外側面に当接し、または接続部カバー板の端部折り曲げ部端縁に係合すると共に接続側板の外側面に当接して、下片部を支持架台に固定することにより、接続部の移動を効果的に抑止する。上記のごとく、バスダクト電路の全長の任意各所において、一種類の固定金具を兼用でき、取扱が容易でかつ堅固な支持装置である。
【０００９】
請求項２においては、接続部は前記請求項１の作用に加えて、接続部カバー板の端部折り曲げ部の外側面が支持金具の係止片の外側面により支持され、接続部の支持効果を増大する。
【００１０】
【実施例】
図面に従って本発明バスダクトの支持装置の構成を説明する。図１は本発明に係るバスダクトの支持装置の使用状態を示す斜視図で、建物から吊下したボルトＴにチャンネルからなる支持架台１１を水平に取り付け、その中央にバスダクトＢＤを載置し、本体部ハウジングＣの下側両端折り曲げ部Ｅ・Ｅの外側面に、図２に示す支持金具１２の脚片部１４の内側面を当接している。また、接続部ハウジング２１の接続側板２２の外側面に、支持金具１２の突片１７を当接している。
【００１１】
上記支持金具１２の構成は、支持架台１１に蝶ボルトＢおよびナットＮで支持固定するための穴Ｈを設けた下片部１３と脚片部１４と上片部５とから成る略Ｚ字形の板状部材の上片部５を、幅方向に対して直角に３分割し、その中央片を該部材の略厚み分上方に位置させた突片１７として、接続部における下側カバー板２３の厚み分高くなる端部折り曲げ部２４高さを逃げている。その両側に位置する２つの分割片は、略Ｌ字形に下方に折り曲げて上片部１５・１５および係止片１６・１６を構成している。
支持金具の板厚は、通常２．０ｍｍ〜３．２ｍｍであるが、必要に応じて、適宜選定するものである。
【００１２】
バスダクトの本体部と接続部とでは、幅方向に対する支持金具１２の取り付け位置が異なるが、上記実施例においてはチャンネルからなる支持架台１１に取り付ける構成であるから、支持金具１２の下片部１３を固定する蝶ボルトＢ・ナットＮと共に、チャンネルの溝に沿って進退させ、所定位置に移動して取り付ける。支持架台１１がＬ形アングル等で、個々に穴明けする場合は、本体部用と接続部用で穴明け位置を変える、または図２の鎖線示のように支持金具１２の下片部１３に、バスダクトの幅方向に長穴を形成することにより対処ができる。
【００１３】
図３は上記図１の本体部の支持装置を示す正面図で、バスダクト本体部ハウジングＣの端部折り曲げ部Ｅ・Ｅの両外側面に、前記支持金具１２の脚片部１４の内側面を当接し、前記下片部１３に設けた穴Ｈにチャンネルからなる支持架台１１に抜け止め係合している蝶ボルトＢを挿通して、ナットＮで支持架台１１に固定する。これによりバスダクトＢＤの本体部は両側から堅固に支持される。
【００１４】
前記実施例に限らず、本体部ハウジングＣの下側両端折り曲げ部Ｅ・Ｅは支持金具１２の脚片部１４と係止片１６の間に位置していればよい。係止片１６の長さは、バスダクトが横ずれした場合に、本体部ハウジングの端部折り曲げ部Ｅに係合して、抜け止め作用を有する長さであれば、適宜である。
【００１５】
図４は上記図１の接続部の支持装置を示す正面図で、バスダクト接続部ハウジング２１の接続側板２２の両外側面に、前記支持金具１２の突片１７を当接し、図３と同様に支持金具１２の下片部１３を支持架台１１に固定する。これによりバスダクトＢＤの接続部は、上記バスダクト本体部と同一の支持金具１２により、両側から堅固に支持される。また、支持金具１２の脚片部１４の高さ寸法を調節することにより、突片１７は上記のごとくバスダクト接続部の接続側板に当接すると共に、接続部カバー板２３の端部折り曲げ部２４の端縁に係合して、バスダクト接続部分が上方に移動することをも防止する堅固な支持が得られる。
【００１６】
図５はバスダクト接続部の第２の支持装置を示す要部拡大正面図で、支持金具１２の突片１７が、接続側板２２の外側面に当接すると同時に接続部カバー板２３の端部折り曲げ部２４の端縁に係合し、更に係止片１６の外側面が接続部カバー板２３の端部折り曲げ部２４の外側面に当接するように、上記突片１７の長さを短くして、前記同様に支持金具１２の下片部１３を支持架台１１に固定する装置である。これにより、バスダクトＢＤの接続部は接続側板２２の外側面および接続部カバー板２３の端部折り曲げ部２４の外側面の２箇所において当接支持され、支持効果が増大する。
【００１７】
図６は本発明に係る支持金具１２の別の構成例を示す斜視図で、（イ）構成は、略Ｚ字形の板状部材の上片部５を２分割して、垂下部１６および突片１７を各々１個形成した支持金具１２であり、また（ロ）構成は、略Ｚ字形の板状部材の上片部５を４分割して、垂下部１６および突片１７を各々２個形成した支持金具１２である。その他、分割数は支持金具１２全体の強度を考慮して適宜に設定するものである。
【００１８】
【発明の効果】
本発明は以上の構成を有する支持金具或いは支持装置であるから、（１）バスダクト電路の本体部、接続部を問わず、全長の所要箇所において、一種類の固定金具を兼用でき、ローコストで堅固な支持装置を供給できる。
（２）大容量幹線で重量のあるバスダクトにおいては、地震時、その自重によりバスダクト電路中、最も重い接続部分の撓みを防止し、地震時の揺れを助長することがなくなり、バスダクト電路全体の安全性を向上する。
（３）取り付けが容易でかつ効率的で、作業性が良い。
などの効果を奏する極めて有効かつ合理的なものである。
【図面の簡単な説明】
【図１】本発明に係るバスダクトの支持装置の使用状態を示す斜視図。
【図２】本発明に係る支持金具の実施例の斜視図。
【図３】本発明に係るバスダクト本体部の支持装置を示す正面図。
【図４】本発明に係るバスダクト接続部の支持装置を示す正面図。
【図５】本発明に係るバスダクト接続部の第２の支持装置を示す要部拡大正面図。
【図６】本発明に係る支持金具の別の構成例の斜視図。
【図７】従来例のバスダクト支持装置を示す正面図（イ）及び支持金具部分のａ−ａ’矢視側面図（ロ）。
【図８】図７に使用した支持金具を示す斜視図。
【符号の説明】
１、１１  支持架台
２、１２  支持金具
３、１３  下片部
４、１４  脚片部
５、１５  上片部
６  垂下部
１６  係止片
１７  突片
２１  接続部ハウジング
２２  接続側板
２３  接続部カバー板
２４  接続部カバー板の折り曲げ部
Ｂ  蝶ボルト
ＢＤ  バスダクト
Ｃ  本体部ハウジング
Ｅ  本体部ハウジングの折り曲げ部
Ｈ  穴
Ｎ  ナット
Ｔ  ボルト
【図１】
0003756236.tif 000002
【図２】
0003756236.tif 000003
【図３】
0003756236.tif 000004
【図４】
0003756236.tif 000005
【図５】
0003756236.tif 000006
【図６】
0003756236.tif 000007
【図７】
0003756236.tif 000008
【図８】
0003756236.tif 000009